(57)【要約】【課題】本願は、発行する発行物の発行数や種別が変化しても、複数の発行機全体の稼働効率の低下を抑制する発行機の管理装置、管理方法、管理プログラム及び発行システムを開示する。【解決手段】本発明は、複数台の発行機を管理する管理装置であって、発行する発行物の発行内容に関するデータを取得すると、各発行機から取得される各発行機の状態に関する情報を基に、発行内容に対応する媒体がセットされ且つ発行開始可能な発行機を複数台の発行機の中から抽出する抽出手段と、抽出手段が抽出した発行機に対し、発行内容に関するデータを送信して発行物の発行処理を開始させる発行処理指示手段と、を備える。【選択図】図２
2018132887.tif 000002
【特許請求の範囲】
【請求項１】
複数台の発行機を管理する管理装置であって、
発行する発行物の発行内容に関するデータを取得すると、前記各発行機から取得される前記各発行機の状態に関する情報を基に、前記発行内容に対応する媒体がセットされ且つ発行開始可能な発行機を前記複数台の発行機の中から抽出する抽出手段と、
前記抽出手段が抽出した発行機に対し、前記発行内容に関するデータを送信して発行物の発行処理を開始させる発行処理指示手段と、を備える、
管理装置。
【請求項２】
前記各発行機の状態に関する情報には、少なくとも前記各発行機にセットされている媒体の種別と発行数に関する情報が含まれており、
前記抽出手段は、発行する発行物の発行内容に関するデータを取得すると、前記各発行機から取得される前記各発行機の状態に関する情報を基に、前記発行内容に対応する種別の媒体がセットされ且つ発行開始可能な発行機を前記複数台の発行機の中から抽出する、
請求項１に記載の管理装置。
【請求項３】
複数台の発行機を管理する管理方法であって、
発行する発行物の発行内容に関するデータを取得すると、前記各発行機から取得される前記各発行機の状態に関する情報を基に、前記発行内容に対応する媒体がセットされ且つ発行開始可能な発行機を前記複数台の発行機の中から抽出し、
抽出した発行機に対し、前記発行内容に関するデータを送信して発行物の発行処理を開始させる、
管理方法。
【請求項４】
複数台の発行機を管理する管理プログラムであって、
コンピュータに、
発行する発行物の発行内容に関するデータを取得すると、前記各発行機から取得される前記各発行機の状態に関する情報を基に、前記発行内容に対応する媒体がセットされ且つ発行開始可能な発行機を前記複数台の発行機の中から抽出する処理と、
前記抽出する処理で抽出した発行機に対し、前記発行内容に関するデータを送信して発行物の発行処理を開始させる処理と、を実行させる、
管理プログラム。
【請求項５】
複数台の発行機と、
前記複数台の発行機を管理する管理装置と、を備え、
前記管理装置は、
発行する発行物の発行内容に関するデータを取得すると、前記各発行機から取得される前記各発行機の状態に関する情報を基に、前記発行内容に対応する媒体がセットされ且つ発行開始可能な発行機を前記複数台の発行機の中から抽出する抽出手段と、
前記抽出手段が抽出した発行機に対し、前記発行内容に関するデータを送信して発行物の発行処理を開始させる発行処理指示手段と、を有する、
発行システム。
【発明の詳細な説明】
【技術分野】
【０００１】
本願は、管理装置、管理方法、管理プログラム及び発行システムに関する。
【背景技術】
【０００２】
銀行では、口座の種別に応じた様々な通帳を取り扱っている（例えば、特許文献１−４を参照）。
【先行技術文献】
【特許文献】
【０００３】
【特許文献１】特開２００８−２８２２９０号公報
【特許文献２】特開２０１０−１０８４４３号公報
【特許文献３】特開平８−８７６４６号公報
【特許文献４】特開平５−２８２３４７号公報
【発明の概要】
【発明が解決しようとする課題】
【０００４】
例えば、全国に支店を有する銀行で取り扱う通帳や証書といった発行物の発行業務を一括して集中的に行う大規模な事務センターでは、大量の発行物を取り扱うため、発行物に印字を行う発行機を複数台有している。そして、発行しようとする発行物の種別に合った未印字の通帳や証書等の媒体が用意され、発行物の発行が開始される。
【０００５】
しかし、取り扱う発行物の種別が多岐に渡っており、発行する発行物の発行数や種別が日々変化する場合、セットされている媒体の種別が適合しないために稼働できない発行機が生じることにより、事務センター全体で発行できる発行物の発行数が減少することがある。
【０００６】
そこで、本願は、発行する発行物の発行数や種別が変化しても、複数の発行機全体の稼働効率の低下を抑制する発行機の管理装置、管理方法、管理プログラム及び発行システムを開示する。
【課題を解決するための手段】
【０００７】
上記課題を解決するため、本発明では、各発行機から取得される各発行機の状態に関する情報を基に、発行内容に対応する媒体がセットされ且つ発行開始可能な発行機を複数台の発行機の中から抽出し、抽出した発行機に対して発行物の発行処理を開始させることにした。
【０００８】
詳細には、本発明は、複数台の発行機を管理する管理装置であって、発行する発行物の発行内容に関するデータを取得すると、各発行機から取得される各発行機の状態に関する情報を基に、発行内容に対応する媒体がセットされ且つ発行開始可能な発行機を複数台の発行機の中から抽出する抽出手段と、抽出手段が抽出した発行機に対し、発行内容に関するデータを送信して発行物の発行処理を開始させる発行処理指示手段と、を備える。
【０００９】
上記の管理装置であれば、各発行機から取得される各発行機の状態に関する情報を基に、発行内容に対応する媒体がセットされた発行機が自動的に抽出されるため、例えば、発行する発行物の種別が多岐に渡り、発行する発行物の発行数や種別が日々変化する場合であっても、各種別の発行物を発行可能な発行機が速やかに抽出される。すなわち、発行機にセットされている媒体の交換といった人為的な作業を行わなくても、複数ある発行機の
中から発行物の発行に適当な発行機が抽出される。よって、発行する発行物の情報を得る度に、各発行機にセットされている媒体を調べてから発行物の発行を開始する場合に比べると、発行物の発行を速やかに開始することが可能であり、結果的に複数の発行機全体の稼働効率の低下の抑制が図られることになる。
【００１０】
ところで、各発行機の状態に関する情報には、少なくとも各発行機にセットされている媒体の種別と発行数に関する情報が含まれており、抽出手段は、発行する発行物の発行内容に関するデータを取得すると、各発行機から取得される各発行機の状態に関する情報を基に、発行内容に対応する種別の媒体がセットされ且つ発行開始可能な発行機を複数台の発行機の中から抽出してもよい。上記の管理装置がこのように構成されていれば、複数ある発行機の中から各種別の発行物の発行に適当な発行機が抽出される。よって、発行する発行物の種別に関する情報を受ける度に、各発行機にセットされている媒体の種別を調べてから発行物の発行を開始する場合に比べると、速やかに発行物の発行を開始することが可能であり、結果的に複数の発行機全体の稼働効率の低下の抑制が図られることになる。
【００１１】
なお、本発明は、上記管理装置を方法、プログラムまたは発行システムの側面から捉えたものであってもよい。
【発明の効果】
【００１２】
上記の管理装置、管理方法、管理プログラム及び発行システムであれば、発行する発行物の発行数や種別が変化しても、複数の発行機全体の稼働効率の低下を抑制可能である。
【図面の簡単な説明】
【００１３】
【図１】図１は、通帳発行に関わる装置を示した全体構成図である。
【図２】図２は、通帳発行機コントローラが実行する処理のフローチャートを示した図である。
【図３】図３は、通帳発行機コントローラが取得する通帳の発行データの一例を示した図である。
【図４】図４は、通帳発行機コントローラが参照する各通帳発行機の状態の一例を示した図である。
【図５】図５は、通帳発行機の一例を示した図である。
【図６】図６は、各通帳発行機の制御装置で実行される処理フローの一例を示した図である。
【図７】図７は、通帳発行機コントローラの操作画面に表示される各通帳発行機の状態の一覧を示した図の一例である。
【発明を実施するための形態】
【００１４】
以下、実施形態について説明する。以下に示す実施形態は、単なる例示であり、本開示の技術的範囲を以下の態様に限定するものではない。
【００１５】
図１は、通帳発行に関わる装置を示した全体構成図である。説明の便宜上、本実施形態では、図１に示す各装置が形成するシステムを「通帳発行システム」と呼ぶことにするが、当該システムは通帳発行に関わる処理のみを実行する装置で形成されたものに限定されるものではなく、各装置が通帳発行以外の処理を実行するものであってもよい。また、本実施形態では、本願でいう「発行物」の一例として通帳を挙げているが、証書等のその他発行物であってもよい。
【００１６】
通帳発行システム１は、上位装置１０、通帳発行機コントローラ２０（本願でいう「管理装置」の一例である）、複数の通帳発行機３０−１〜Ｎを有する。通帳発行機コントローラ２０および通帳発行機３０−１〜Ｎは、例えば、銀行で取り扱う通帳の発行業務を集
中的に行う事務センターに設置される装置であり、通帳発行機コントローラ２０が上位装置１０から取得したデータに基づいて通帳を発行する。上位装置１０は、例えば、銀行の勘定系システムが設置されている電算センターに設置される装置であり、通帳の発行に必要なデータを通信網経由で通帳発行機コントローラ２０へ提供する。
【００１７】
上位装置１０および通帳発行機コントローラ２０は、何れもＣＰＵ（Central Processing Unit）やメモリ、入出力インタフェース等を備える情報処理装置であり、メモリに読
み込んだコンピュータプログラムを実行することにより各種機能部を実現する。例えば、通帳発行機コントローラ２０は、メモリに読み込んだコンピュータプログラムを実行することにより、複数の通帳発行機３０−１〜Ｎの中から通帳の発行処理を実行させる通帳発行機の抽出を司る機能部（本願でいう「抽出手段」の一例である）や、抽出された通帳発行機に対するデータ送信を司る機能部（本願でいう「発行処理指示手段」の一例である）を実現する。
【００１８】
通帳発行機３０−１〜Ｎは、演算処理装置やメモリ、入出力インタフェース、印字前の通帳がセットされるカセット、印字装置、磁気記録装置等を備える装置であり、通帳発行機コントローラ２０から送信されたデータを処理して印字装置や磁気記録装置等を動作させることにより通帳の発行処理を実現する。通帳発行機コントローラ２０と各通帳発行機３０−１〜Ｎとの間の通信は、各通帳発行機３０−１〜ＮのＩＰアドレスを用いてＬＡＮ（Local Area Network）で行われてもよいし、通帳発行機コントローラ２０と各通帳発行機３０−１〜Ｎとを各々直接繋ぐケーブルを用いたシリアル通信で行われてもよい。
【００１９】
各通帳発行機３０−１〜Ｎのカセットには、様々な種別の通帳がセットされている。例えば、通帳発行機３０−１のカセットには緑色の普通預金用通帳がセットされ、通帳発行機３０−２のカセットにはピンク色の普通預金用通帳がセットされ、通帳発行機３０−３のカセットには黒色の普通預金用通帳がセットされ、通帳発行機３０−４のカセットには定期預金口座通帳がセットされてもよい。また、各通帳発行機３０−１〜Ｎにカセットが複数ある場合は、例えば、通帳発行機３０−１の第１番目のカセットには緑色の普通預金用通帳がセットされ、通帳発行機３０−１の第２番目のカセットにはピンク色の普通預金用通帳がセットされ、通帳発行機３０−２の第１番目のカセットには黒色の普通預金用通帳がセットされ、通帳発行機３０−２の第２番目のカセットには定期預金口座通帳がセットされてもよい。
【００２０】
図２は、通帳発行機コントローラ２０が実行する処理のフローチャートを示した図である。通帳発行機コントローラ２０は、発行する通帳の発行データを上位装置１０から取得すると（Ｓ１０１）、通帳発行機３０−１〜Ｎの状態を参照する。そして、通帳発行機コントローラ２０は、上位装置１０から取得した発行データで指示されている通帳を、何れかの通帳発行機３０−１〜Ｎで発行可能か否かの判定を行う（Ｓ１０３）。なお、通帳発行機コントローラ２０は、ステップＳ１０３の処理に係る判定処理を全ての通帳発行機３０−１〜Ｎについて行う形態に限定されるものでない。例えば、通帳発行機コントローラ２０側で通帳の発行を受け入れる条件等が規定されており、その情報がメモリに格納されていれば、通帳発行機コントローラ２０は、ステップＳ１０３の処理に係る判定処理で状態確認を行う通帳発行機を通帳発行機３０−１〜Ｎの中から予め絞り込んでもよい。通帳発行機コントローラ２０は、ステップＳ１０３で否定判定を行った場合、他の通帳発行機３０−１〜Ｎの状態を参照することにし（Ｓ１０４）、ステップＳ１０２以降の処理を再び実行する。また、通帳発行機コントローラ２０は、ステップＳ１０３で肯定判定を行った場合、通帳発行機３０−１〜Ｎの抽出処理を終え（Ｓ１０５）、当該通帳発行機３０−１〜Ｎに対し、通帳の発行を指示する旨の発行指示電文を送信する（Ｓ１０６）。
【００２１】
以下、各処理の詳細について説明する。
【００２２】
図３は、通帳発行機コントローラ２０が取得する通帳の発行データの一例を示した図である。上位装置１０から取得する通帳の発行データには、例えば、図３に示されるように、発行する通帳の種別、口座番号といった印字内容等が通帳１件ごとに示されている。通帳発行機コントローラ２０は、ステップＳ１０１の処理でこのような発行データを取得することにより、各通帳発行機３０−１〜Ｎに発行させる通帳の種別や印字内容を把握することができる。
【００２３】
図４は、通帳発行機コントローラ２０が参照する各通帳発行機３０−１〜Ｎの状態の一例を示した図である。通帳発行機コントローラ２０が参照する各通帳発行機３０−１〜Ｎの状態には、例えば、図４に示されるように、発行機の空き状況、印刷可能な通帳の種別、通帳の残数等が示されている。なお、各通帳発行機３０−１〜Ｎに複数のカセットがあり、１台の通帳発行機で複数の通帳種別に対応できる場合、通帳発行機コントローラ２０は、印刷可能な通帳の種別、通帳の残数を通帳発行機のカセット毎に参照してもよい。各通帳発行機３０−１〜Ｎの状態は、ステップＳ１０２の処理を実行する際に通帳発行機コントローラ２０が各通帳発行機３０−１〜Ｎにアクセスして取得してもよいし、各通帳発行機３０−１〜Ｎから通帳発行機コントローラ２０へ定期的に送信されて通帳発行機コントローラ２０のメモリに蓄積されていてもよいし、或いは、管理者が通帳発行機コントローラ２０へキーボードで入力してもよい。通帳発行機コントローラ２０は、ステップＳ１０２の処理でこのような各通帳発行機３０−１〜Ｎの状態に関する情報を取得することにより、各通帳発行機３０−１〜Ｎの状態を把握することができる。
【００２４】
通帳発行機コントローラ２０は、例えば、図３に示すような発行データを上位装置１０から取得すると、各通帳発行機３０−１〜Ｎの状態を参照し、「普通預金用通帳（黒色）」を発行可能な通帳発行機の抽出を行う。各通帳発行機３０−１〜Ｎが図４に示すような状態の場合、通帳発行機コントローラ２０は、カセットに黒色の普通預金用通帳がセットされていてオンライン中（発行可）の通帳発行機３０−１に対し、発行する通帳の種別や印字内容を記した発行指示電文を送信する。通帳発行機コントローラ２０から発行指示電文を受信した通帳発行機３０−１は、発行指示電文の内容に従い、カセットにセットされている「普通預金用通帳（黒色）」を印字装置や磁気記録装置に取り込んで発行処理を行い、通帳を発行する。なお、通帳発行機コントローラ２０は、上位装置１０から取得した発行データにデータ入力日（例えば、店舗で口座開設の申し込みを受け付けた日付）が付加されている場合であれば、通帳発行機３０−１〜Ｎに対する発行処理の指示をデータ入力日単位で行ってもよい。また、通帳発行機コントローラ２０は、上位装置１０から取得した発行データが、通帳発行機３０−１〜Ｎによる印字の他に手書きで補記が必要な通帳のように「要手書き」という内容が示されているなど、後続処理が通常と異なる通帳の発行データである場合であれば、通帳発行機３０−１〜Ｎに対する発行処理の指示をそのようなデータの種類毎の単位で行ってもよい。また、通帳発行機コントローラ２０は、後続の通帳発送をスムーズに処理できるよう、発行データに示されている住所毎の単位で通帳発行機３０−１〜Ｎに対する発行処理の指示を行うようにしてもよい。また、通帳発行機コントローラ２０は、操作者によって優先的に発行することが選択された発行データや、至急の発行である旨を示すフラグのついた発行データを他の発行データよりも優先して通帳発行機３０−１〜Ｎへ発行指示してもよい。
【００２５】
また、通帳発行機コントローラ２０は、通帳を発行させる通帳発行機の抽出処理を行う際、例えば、上位装置１０から取得した発行データを集計して、発行する通帳の冊数を通帳の種別ごとまたは発行データ内容に基づく発行種別ごとに予め計算し、各通帳発行機３０−１〜Ｎの中からカセットに残っている通帳の残数が十分な通帳発行機を選定するようにしてもよい。通帳発行機コントローラ２０は、例えば、上位装置１０から取得した発行データを集計した結果、「普通預金用通帳（黒色）」の発行数が５５０冊であるという計
算結果を得た場合、カセットに黒色の普通預金用通帳が５５０冊以上セットされていてオンライン中（発行可）の通帳発行機３０−１に対し、発行する通帳の種別や印字内容を記した発行指示電文を送信するようにしてもよい。また、通帳発行機コントローラ２０は、「普通預金用通帳（黒色）」の発行数が５５０冊であるという計算結果を得たにも関わらず、例えば、カセットに黒色の普通預金用通帳が５５０冊以上セットされていてオンライン中（発行可）の通帳発行機が存在しない場合、通帳の発行を複数の通帳発行機に分散させてもよい。特定の種別の通帳を１台の通帳発行機に集中して発行させると通帳発行システム１全体の稼働効率が低下するため、通帳の発行は複数の通帳発行機に分散させた方が効率的である。
【００２６】
図５は、通帳発行機３０−１〜Ｎの一例を示した図である。通帳発行機３０−１〜Ｎは、例えば、図５に示すように、新規の通帳２がセットされるカセット３１、各カセット３１から通帳２を繰り出すホッパ３２、通帳２に印字する印字装置３３、通帳２の磁気ストライプに磁気データを書き込む磁気記録装置３４、処理を終えた通帳２が溜まるスタッカ３５、通帳発行機３０−１〜Ｎの各部を制御する制御装置３６を備える。制御装置３６には、通帳発行機コントローラ２０に繋がる通信線３が接続される。
【００２７】
ホッパ３２は、例えば、Ｎｏ．１からＮｏ．４までの４台のカセット３１が装着可能になっている。ホッパ３２は、複数あるカセット３１のうち制御装置３６から指示された何れかのカセット３１から通帳２を繰り出す。各カセット３１には、全て同じ種別の通帳２がセットされていてもよいし、互いに異なる種別の通帳２がセットされていてもよい。ホッパ３２には、カセット３１に付されているバーコードを読み取るリーダが備わっており、ホッパ３２に装着されたカセット３１にセットされている通帳２の種別や冊数といった通帳２に関する情報を制御装置３６へ送信する。
【００２８】
印字装置３３には、インクを吐出する印字ヘッドの他に、通帳２の各ページを開くページ送り機構や通帳２の頁マークを読み取るリーダが備わっており、ホッパ３２から印字装置３３へ送り込まれた通帳２に関する情報を制御装置３６へ送信する。制御装置３６へ送信される頁マーク等の情報は、印字装置３３に送り込まれた通帳２の種別が、発行指示電文で指定された通帳の種別と整合しているか否かの判定に用いられる。
【００２９】
スタッカ３５には、スタッカ３５に溜まる通帳２が上限量に達しているか否かを検知するセンサ３７が備わっている。なお、スタッカ３５に溜まる通帳２が上限量に達しているか否かを検知する手段としては、スタッカ３５内の通帳２が上限量に達したか否かを物理的に検知するセンサ３７の他、例えば、発行数をカウントするカウンタが一定数（スタッカ上限量数）に達したか否かを判定する判定処理手段が挙げられる。この判定処理手段は、通帳発行機３０−１〜Ｎに備わっていてもよいし、通帳発行機コントローラ２０に備わっていてもよい。なお、通帳発行システム１は、スタッカ３５に溜まる通帳２が、スタッカ３５に溜めることが可能な上限量に達した場合にスタッカ３５から排出される形態に限定されるものではない。例えば、通帳発行機コントローラ２０から送信された発行指示電文に「終了」フラグがある場合、当該発行指示電文を受けて通帳の発行を終えた通帳発行機の状態を「通帳取り出し待ち（発行不可）」として取り扱うようにしてもよい。
【００３０】
また、センサ３７は、スタッカ３５に溜まる通帳２が上限量に達しているか否かを検知するのみならず、例えば、スタッカ３５から通帳２が取り出されたか否かの検知に用いられてもよい。スタッカ３５から通帳２が取り出されたか否かの情報は、例えば、通帳発行機コントローラ２０や上位装置１０へ格納され、発行済みの通帳２に関するデータである発行完了データとして後続の処理（例えば、発行管理記録や通帳発送といった各種処理に纏わる帳票の発行等）に利用されてもよい。
【００３１】
各通帳発行機３０−１〜Ｎでは、通帳発行機コントローラ２０から送信される発行指示電文を受信した制御装置３６が、ホッパ３２や印字装置３３、磁気記録装置３４等の各部を作動させることにより、発行指示電文に従った通帳２の発行処理が行われる。また、印字装置３３に送り込まれた通帳２の種別が、発行指示電文で指定された通帳の種別と整合していない場合、制御装置３６は、通帳の発行処理を一時停止し、通帳発行機コントローラ２０へエラー情報を送信する。また、発行指示電文で指定された通帳の発行が完了した場合、制御装置３６は、通帳発行機コントローラ２０に対し、通帳の発行が正常に終了した旨の発行終了通知電文を送信する。通帳発行機コントローラ２０あるいは上位装置１０では、各通帳発行機３０−１〜Ｎから送信された発行終了通知電文を基に発行完了データが生成され、メモリ等に記憶される。
【００３２】
図６は、各通帳発行機３０−１〜Ｎの制御装置３６で実行される処理フローの一例を示した図である。通帳発行機コントローラ２０が参照する各通帳発行機３０−１〜Ｎの状態は、例えば、図６に示される処理フローの一連の処理を各通帳発行機３０−１〜Ｎの制御装置３６が繰り返し実行することにより、随時更新される。すなわち、制御装置３６は、通帳２を発行中であるか否かの判定を行い（Ｓ２０１）、通帳２を発行中でない場合にはスタッカ３５に溜まる通帳２が上限量に達しているか否かの判定を行う（Ｓ２０２）。制御装置３６は、ステップＳ２０１とステップＳ２０２の何れにおいても否定判定を行った場合、カセット３１に残っている通帳２の有無の確認をホッパ３２に対して行う（Ｓ２０３）。カセット３１に通帳２が残っている場合、制御装置３６は、カセット３１に残っている通帳２の種別と冊数の確認をホッパ３２に対して行う（Ｓ２０４）。制御装置３６は、ステップＳ２０４の処理を終えると、通帳発行の可否に関する情報を「発行可能」に更新し、発行可能な通帳の種別や冊数の情報を更新する（Ｓ２０５）。また、制御装置３６は、ステップＳ２０１とステップＳ２０２の何れかで肯定判定を行うか、或いはステップＳ２０２で否定判定を行った場合、通帳発行の可否に関する情報を「発行不能」に更新する（Ｓ２０６）。
【００３３】
制御装置３６が更新する各通帳発行機３０−１〜Ｎの状態に関する情報は、制御装置３６のメモリに格納され、当該メモリの情報を通帳発行機コントローラ２０が定期的に参照してもよい。また、制御装置３６が更新する状態の情報は、通帳発行機コントローラ２０のメモリに格納され、当該メモリの情報を各通帳発行機３０−１〜Ｎの制御装置３６が通信線３経由で定期的に更新してもよい。
【００３４】
通帳発行機３０−１〜Ｎの制御装置３６で上記の処理フローが繰り返し実行されることにより、通帳発行機コントローラ２０が参照する各通帳発行機３０−１〜Ｎの状態の情報が随時更新されることになる。図７は、通帳発行機コントローラ２０の操作画面に表示される各通帳発行機３０−１〜Ｎの状態の一覧を示した図の一例である。図７に示されるように、通帳発行機コントローラ２０の操作画面には、各通帳発行機３０−１〜Ｎの状態が表示される。よって、通帳発行機コントローラ２０の管理者は、各通帳発行機３０−１〜Ｎの状態を容易に把握することできる。なお、通帳発行機コントローラ２０は、各通帳発行機３０−１〜Ｎの状態の情報を随時参照する形態に限定されるものでなく、例えば、各通帳発行機３０−１〜Ｎから情報が更新された旨の通知（例えば、カセット３１に残っている通帳２の残数が一定以下になった場合等に行われる通知等）を受けた場合に、操作画面に表示する情報を更新するようにしてもよい。また、通帳発行機３０−１〜Ｎの制御装置３６で実行される上記処理フローは、常に繰り返される形態に限定されるものではない。通帳発行機３０−１〜Ｎの制御装置３６で実行される上記処理フローは、例えば、カセット３１に残っている通帳２の残数が一定以下になった場合や、スタッカ３５に溜まる通帳２の冊数が一定以上になった場合にのみ繰り返し実行されてもよい。
【００３５】
上述した通帳発行機コントローラ２０及び各通帳発行機３０−１〜Ｎが、例えば、全国
に支店を有する銀行で取り扱う通帳の発行業務を集中的に行う大規模な事務センターに設置される場合、取り扱う通帳の種別が多岐に渡っており、発行する通帳の冊数や種別が日々変化する場合であっても、カセット３１にセットされている通帳２の交換といった人為的な作業を行わなくても、複数ある通帳発行機３０−１〜Ｎが自動的に最大限稼働される。よって、上記の通帳発行システム１であれば、発行する通帳の冊数や種別が変化しても、複数の通帳発行機３０−１〜Ｎ全体の稼働効率の低下を可及的に抑制することができる。
【符号の説明】
【００３６】
１・・通帳発行システム：２・・通帳：３・・通信線：１０・・上位装置：２０・・通帳発行機コントローラ：３０−１〜Ｎ・・通帳発行機：３１・・カセット：３２・・ホッパ：３３・・印字装置：３４・・磁気記録装置：３５・・スタッカ：３６・・制御装置：３７・・センサ
【図１】
2018132887.tif 000003
【図２】
2018132887.tif 000004
【図３】
2018132887.tif 000005
【図４】
2018132887.tif 000006
【図５】
2018132887.tif 000007
【図６】
2018132887.tif 000008
【図７】
2018132887.tif 000009